(57)【要約】【課題】種々の効能及び効果を有する炭を、既存の住宅等の壁の壁内空間に、容易かつ安価に投入できる炭の壁内施工方法を提供する。【解決手段】住宅１の部屋２に面する内壁４及び内壁４に相対する外壁５を有する壁３の壁内空間８に、竹炭７を投入する炭の壁内施工方法であって、内壁４に第一孔９及び第二孔１０を穿設する孔穿設工程と、第一孔９及び第二孔１０を通して、壁内空間８に竹炭７を投入する炭投入工程とを有し、孔穿設工程で内壁に穿設した第一孔９及び第二孔１０によって壁内空間８及び部屋２を通気させるものである。【選択図】　　　　図２
2004076323.tif 000002
【特許請求の範囲】
【請求項１】
住宅等の部屋に面する第一壁材及び該第一壁材に相対する第二壁材を有する壁の壁内空間に、炭を収容する炭の壁内施工方法であって、
前記第一壁材に孔を穿設する孔穿設工程と、
前記孔を通して、前記壁内空間に前記炭を投入する炭投入工程と
を有し、前記孔穿設工程で前記第一壁材に穿設した前記孔によって前記壁内空間及び前記部屋を通気させることを特徴とする炭の壁内施工方法。
【請求項２】
前記孔穿設工程では、前記第一壁材に少なくとも二つ以上の前記孔を穿設し、前記炭投入工程では、二つ以上の前記孔の間に前記炭を投入することを特徴とする請求項１に記載の炭の壁内施工方法。
【請求項３】
前記炭投入工程では、前記孔を通して、前記壁内空間に前記炭を投入し、前記壁内空間の桟の上に前記炭を配置することを特徴とする請求項１または請求項２に記載の炭の壁内施工方法。
【請求項４】
前記炭投入工程の後に、前記壁内空間及び前記部屋を強制的に通気させるための換気扇を、前記孔に取付ける換気扇取付工程をさらに有することを特徴とする請求項１乃至請求項３のいずれか一つに記載の炭の壁内施工方法。
【請求項５】
前記炭投入工程で前記壁内空間に投入する前記炭は、竹を炭化した竹炭を含むことを特徴とする請求項１乃至請求項４のいずれか一つに記載の炭の壁内施工方法。
【発明の詳細な説明】
【０００１】
【発明の属する技術分野】
本発明は、炭の壁内施工方法に関するものであり、詳しくは、住宅等の壁の壁内空間に炭を収容するための施工方法に関するものである。
【０００２】
【従来の技術】
近年、住宅等の環境資材として炭が利用される場合がある。具体的には、炭を通気性を有する袋に充填し、この袋を住宅等の壁の壁内空間に配置するものなどがある（例えば、特開２０００−２５７１７９号公報）。これにより、住宅等で炭の持つ調湿効果、消臭効果、有害物質吸着・分解効果、またはマイナスイオン放出に起因する効果などが享受できる。
【０００３】
【発明が解決しようとする課題】
しかしながら、上記の従来技術は、住宅等を新築する際に適用することを前提としているものであり、既存の住宅等には適用しにくいという問題があった。すなわち、既存の住宅等の場合、通常、壁内空間が閉ざされているため、そこに炭を充填した袋などを後から配置することはできない。そのため既存の住宅等に適用する場合は、壁を一旦剥がすなどの大掛かりな作業が必要となり、手間がかかる上に施工コストが高くなるという問題があった。
【０００４】
そこで、本発明は上記の実情を鑑み、種々の効能及び効果を有する炭を、既存の住宅等の壁の壁内空間に、容易かつ安価に投入できる炭の壁内施工方法の提供を課題とするものである。
【０００５】
【課題を解決するための手段】
請求項１の発明にかかる炭の壁内施工方法は、住宅等の部屋に面する第一壁材及び該第一壁材に相対する第二壁材を有する壁の壁内空間に、炭を収容する炭の壁内施工方法であって、前記第一壁材に孔を穿設する孔穿設工程と、前記孔を通して、前記壁内空間に前記炭を投入する炭投入工程とを有し、前記孔穿設工程で前記第一壁材に穿設した前記孔によって前記壁内空間及び前記部屋を通気させるものである。
【０００６】
ここで、炭とは、広葉樹、針葉樹、竹などの間伐材や林地廃材を含む生立木、鋸屑、樹皮屑、チップ屑、端切材などを含む木材加工工場廃材、ヤシ殼、モミ殼、アーモンド殼などを含む植物性の殻、または建築解体材、家具材などを含む木質系廃材を炭化して得られるものである。
【０００７】
炭の特徴として、無定形炭素であること、微細孔構造を有すること、及びミネラル（炭分）を含むことが挙げられる。炭は、これら三要素のいずれか一つ、または複数の要素の組み合わせに起因する種々の効能及び効果を有することが知られている。例えば、周囲の湿度が高くなると湿気を吸収し湿度が低くなると湿気を放出する調湿効果を有している。また、悪臭のもとになるアンモニア、メルカプタンなどを吸着する消臭効果も有している。また、住宅等に使用される合板、塗料、接着剤などに含まれ、シックハウス症候群や化学物質過敏症の原因とされるホルムアルデヒド、トルエン、キシレン、トリメチルベンゼン、ジエチルベンゼンなどの揮発性有機化合物（Ｖｏｌａｔｉｌｅ　Ｏｒｇａｎｉｃ　Ｃｏｍｐｏｕｎｄ）を吸着して分解する有害物質吸着・分解効果も有している。また、外気と部屋内との温度差があっても容易に熱伝導されず、冬には結露を防止し暖房による熱を保つとともに、夏には部屋の温度を低温に保つ断熱効果も有している。
【０００８】
さらに、マイナスイオンを生成して放出するので、人間の細胞や自律神経を活性化し新陳代謝を促す効果、血圧・脈拍を安定させる効果、殺菌効果、及び腐敗抑制効果なども有している。また、遠赤外線を放射するので、動植物の成長促進効果、及び食品の改質・保存・抗菌・殺菌効果なども有している。また、電気良導体であることから、ＯＡ機器など電気製品から発生する低周波の電磁波を遮蔽する効果なども有している。
【０００９】
したがって、請求項１の発明の炭の壁内施工方法によれば、住宅等の部屋に面する第一壁材に孔が穿設されることになる。そして、その孔を投入口として利用し、炭を壁内空間に投入する。これにより、住宅等の第一壁材または第二壁材を一旦剥がすことなく、炭を壁内空間に収容することが可能となる。炭を壁内空間に収容した後は、第一壁材に穿設した孔を、壁内空間及び部屋を通気させる通気孔として利用する。これにより、炭の持つ上述の効能及び効果を壁内空間及び部屋で発揮させることが可能となる。また、炭を投入する目的で穿設した孔を、そのまま通気孔として利用できるので、孔を閉じるなどの修復作業が必要ない。
【００１０】
請求項２の発明にかかる炭の壁内施工方法は、請求項１に記載の炭の壁内施工方法において、前記孔穿設工程では、前記第一壁材に少なくとも二つ以上の前記孔を穿設し、前記炭投入工程では、二つ以上の前記孔の間に前記炭を投入するものである。
【００１１】
したがって、請求項２の発明の炭の壁内施工方法によれば、請求項１の発明の炭の壁内施工方法の作用に加え、住宅等の部屋に面する第一壁材に孔が少なくとも二つ穿設されることになる。また、二つ以上の孔の間に炭が収容されることになる。これにより、炭を投入した後に孔を通気孔として利用する際に、例えば、一方の孔を通して部屋から壁内空間に空気が入ってくると、炭を通過した後、もう一方の孔を通して壁内空間から部屋に空気が出て行くことになり、壁内空間及び部屋の空気を竹炭を通過させて循環させることが可能となる。
【００１２】
請求項３の発明にかかる炭の壁内施工方法は、請求項１または請求項２に記載の炭の壁内施工方法において、前記炭投入工程では、前記孔を通して、前記壁内空間に前記炭を投入し、前記壁内空間の桟の上に前記炭を配置するものである。
【００１３】
ここで、桟は、第一壁材または第二壁材の反りを防止するために、第一壁材及び第二壁材に、高さ方向に所定の間隔をおいて横向きに裏打ちされているものである。
【００１４】
したがって、請求項３の発明の炭の壁内施工方法によれば、請求項１または請求項２の発明の炭の壁内施工方法の作用に加え、第一壁材に穿設された孔から炭を投入すると、炭が壁内空間の桟の上に配置されることになる。これにより、炭を壁内空間の底付近から順に積み重ねることなく、壁内空間及び部屋を通気させる孔に比較的近い位置から積み重ねることが可能となる。
【００１５】
請求項４の発明にかかる炭の壁内施工方法は、請求項１乃至請求項３のいずれか一つに記載の炭の壁内施工方法において、前記炭投入工程の後に、前記壁内空間及び前記部屋を強制的に通気させるための換気扇を、前記孔に取付ける換気扇取付工程をさらに有するものである。
【００１６】
したがって、請求項４の発明の炭の壁内施工方法によれば、請求項１乃至請求項３のいずれか一つの発明の炭の壁内施工方法の作用に加え、壁内空間及び部屋を通気させる孔に換気扇が取付けられることになる。これにより、換気扇を必要に応じて動作させることにより、壁内空間及び部屋の空気を強制的に循環させて、炭の持つ上述の効能及び効果を、壁内空間及び部屋に十分に発揮させることが可能となる。
【００１７】
請求項５の発明にかかる炭の壁内施工方法は、請求項１乃至請求項４のいずれか一つに記載の炭の壁内施工方法において、前記炭投入工程で前記壁内に投入する前記炭は、竹を炭化した竹炭を含むものである。
【００１８】
ここで、竹炭とは、モウソウチク、マダケ、ネマガリダケ、ハチク、ケイチク、クマザサ、ヤダケ、メダケ、キッコウチクなどの竹を炭化して得られるものである。
【００１９】
したがって、請求項５の発明の炭の壁内施工方法によれば、請求項１乃至請求項４のいずれか一つの発明の炭の壁内施工方法の作用に加え、木炭などに比べ、吸放湿性、吸臭性、マイナスイオンの放出量などが優れている竹炭が既存の住宅等の壁内に投入されることになる。
【００２０】
【発明の実施の形態】
以下、本発明の一実施形態である炭の壁内施工方法について、図１乃至図３に基づき説明する。図１は本発明の一実施形態である炭の壁内施工方法を適用する住宅の一部を示す断面図であり、図２は炭の壁内施工方法を適用した住宅の一部を示す断面図であり、図３は炭の壁内施工方法を適用した住宅の部屋の一部を示す説明図である。
【００２１】
先ず、本実施形態の炭の壁内施工方法を適用する既存の住宅１について説明する。住宅１は、図１に示すように、居住空間である部屋２と、部屋２を囲う壁３とを有している。壁３は、住宅１の部屋２に面する内壁４と、住宅１の外側に面する外壁５とから構成されている。内壁４及び外壁５には、反りを防止するために、高さ方向に所定の間隔をおいて桟６ａ，６ｂが横向きに裏打ちされている。ここで、内壁４が本発明の第一壁材に相当し、外壁５が本発明の第二壁材に相当する。
【００２２】
次に、本実施形態の炭の壁内施工方法について説明する。本実施形態の炭の壁内施工方法は、種々の効能及び効果を有する竹炭７を、既存の住宅１の壁３の壁内空間８に、容易かつ安価に投入できるものである。炭の壁内施工方法は、内壁４に第一孔９及び第二孔１０を穿設する孔穿設工程と、第一孔９及び第二孔１０を通して、壁内空間８に竹炭７を投入する炭投入工程と、壁内空間８及び部屋２を強制的に通気させるための換気扇１１を、第一孔９に取付ける換気扇取付工程とから構成されている。
【００２３】
孔穿設工程では、部屋２側から、内壁４の上部付近に長方形の第一孔９と、内壁４の下部付近に長方形の第二孔１０とを穿設する。このとき、壁内空間８の桟６ａを介して、内壁４に第一孔９及び第二孔１０を穿設する。また、第一孔９は、後述の換気扇取付工程で換気扇１１を取付けることができるように穿設する。
【００２４】
炭投入工程では、住宅１の壁３の壁内空間８に、第一孔９及び第二孔１０から竹炭７を投入する。このとき、内壁４及び外壁５には、桟６ａ，６ｂが横向きに裏打ちされているため、壁内空間８において竹炭７が桟６ａ，６ｂの上に配置されることになる。
【００２５】
ここで、炭投入工程で、壁内空間８に投入する竹炭７について説明する。竹炭７は、モウソウチク、マダケ、ネマガリダケ、ハチク、ケイチク、クマザサ、ヤダケ、メダケ、キッコウチクなどの竹を炭化し、粒径１０〜３０ｍｍ程度に砕いて得られたものである。その具体的な製造過程の一例を示すと、竹を窯の中で４００〜７００℃程度で炭化する炭化工程と、炭化がほぼ終わった段階で、窯の中の温度を１０００℃近くまで上げてガス分をとばす精煉工程と、空気を遮断して徐々に火を消す消火工程とを有している。
【００２６】
このようにして得られる竹炭７の特徴として、無定形炭素であること、微細孔構造を有すること、及びミネラル（炭分）を含むことが挙げられる。竹炭７は、これら三要素のいずれか一つ、または複数の要素の組み合わせに起因する種々の効能及び効果を有することになる。
【００２７】
例えば、周囲の湿度が高くなると湿気を吸収し湿度が低くなると湿気を放出する調湿効果を有している。また、悪臭のもとになるアンモニア、メルカプタンなどを吸着する消臭効果も有している。また、住宅等に使用される合板、塗料、接着剤などに含まれ、シックハウス症候群や化学物質過敏症の原因とされるホルムアルデヒド、トルエン、キシレン、トリメチルベンゼン、ジエチルベンゼンなどの揮発性有機化合物（Ｖｏｌａｔｉｌｅ　Ｏｒｇａｎｉｃ　Ｃｏｍｐｏｕｎｄ）を吸着して分解する有害物質吸着・分解効果も有している。また、外気と部屋内との温度差があっても容易に熱伝導されず、冬には結露を防止し暖房による熱を保つとともに、夏には部屋の温度を低温に保つ断熱効果も有している。
【００２８】
さらに、マイナスイオンを生成して放出するので、人間の細胞や自律神経を活性化し新陳代謝を促す効果、血圧・脈拍を安定させる効果、殺菌効果、及び腐敗抑制効果なども有している。また、遠赤外線を放射するので、動植物の成長促進効果、及び食品の改質・保存・抗菌・殺菌効果なども有している。また、電気良導体であることから、ＯＡ機器など電気製品から発生する低周波の電磁波を遮蔽する効果なども有している。
【００２９】
換気扇取付工程では、部屋２側から第一孔９に換気扇１１を取付ける。換気扇１１は、図３に示すように、ファン１２を有しており、電源を入れるとファン１２が回転して壁内空間８及び部屋２の空気を強制的に循環させることができるものである。なお、第二孔１０には、カバー１３が取付けられることになる。
【００３０】
このように、本実施形態の炭の壁内施工方法では、住宅１の部屋２に面する内壁４に第一孔９及び第二孔１０が穿設されることになる。そして、その第一孔９及び第二孔１０を投入口として利用し、竹炭７を壁内空間８に投入する。これにより、住宅１の内壁４または外壁５を一旦剥がすことなく、竹炭７を壁内空間８に投入することが可能となる。竹炭７を壁内空間８に投入した後は、内壁４に穿設した第一孔９及び第二孔１０を、壁内空間８及び部屋２を通気させる通気孔として利用する。これにより、竹炭７の持つ上述の効能及び効果を壁内空間８及び部屋２で発揮させることが可能となる。また、竹炭７を投入する目的で穿設した第一孔９及び第二孔１０を、そのまま通気孔として利用するので、第一孔９及び第二孔１０を閉じるなどの修復作業が必要ない。したがって、種々の効能及び効果を有する竹炭７を、既存の住宅１の壁３の壁内空間８に、容易かつ安価に投入することができる。
【００３１】
また、本実施形態の炭の壁内施工方法では、壁内空間８の桟６ａを介して、内壁４に第一孔９及び第二孔１０を穿設する。そして、第一孔９及び第二孔１０から竹炭７を投入すると、竹炭７が壁内空間８の桟６ａ，６ｂの上に配置されることになる。これにより、竹炭７を投入した後に第一孔９及び第二孔１０を通気孔として利用する際に、例えば、第二孔１０を通して部屋２から壁内空間８に空気が入ってくると、竹炭７を通過した後、第一孔９を通して壁内空間８から部屋２に空気が出て行くことになり、壁内空間８及び部屋２の空気を竹炭７を通過させて循環させることが可能となる。したがって、竹炭７の持つ種々の効能及び効果を、住宅１で十分に発揮させることができる。また、竹炭７を壁内空間８の底付近から順に積み重ねることなく、壁内空間８及び部屋２を通気させる第一孔９及び第二孔１０に比較的近い位置から積み重ねることが可能となる。したがって、比較的空気が滞留しやすい壁内空間８の底付近に竹炭７が投入されるのではなく、比較的空気が流れやすい第一孔９及び第二孔１０付近に竹炭７が投入されることになるため、投入した竹炭７を無駄にすることなく十分に活用できる。
【００３２】
さらに、本実施形態の炭の壁内施工方法では、壁内空間８及び部屋２を通気させる第一孔９に換気扇１１が取付けられることになる。これにより、換気扇１１を必要に応じて動作させることにより、壁内空間８及び部屋２の空気を強制的に循環させて、竹炭７の持つ上述の効能及び効果を、壁内空間８及び部屋２に十分に発揮させることが可能となる。したがって、竹炭７の持つ種々の効能及び効果を上げることができる。
【００３３】
以上、本発明について好適な一実施形態を挙げて説明した。しかし、本発明はこの実施形態に限定されるものではなく、以下に示すように、本発明の要旨を逸脱しない範囲において、種々の改良が可能である。
【００３４】
すなわち、本実施形態の炭の壁内施工方法では、孔穿設工程で、内壁４に第一孔９及び第二孔１０を穿設するものを示した。しかし、内壁４に穿設する孔は、一つでも良く、また二つ以上であっても良い。ただし、壁内空間８及び部屋２の空気を循環させるために二つ以上の孔を穿設する方が好ましい。
【００３５】
また、本実施形態の炭の壁内施工方法では、住宅１の壁内空間８及び部屋２の空気を強制的に循環させるための換気扇１１を、第一孔９に取付ける換気扇取付工程を有するものを示した。しかし、孔穿設工程を省いて、第一孔９に単にカバーを取付けるだけでもよい。
【００３６】
さらに、本実施形態の炭の壁内施工方法では、炭投入工程で、壁内空間８に竹炭７を投入するものを示した。しかし、これに特に限定されるものではなく、炭であればよい。炭とは、広葉樹、針葉樹、竹などの間伐材や林地廃材を含む生立木、鋸屑、樹皮屑、チップ屑、端切材などを含む木材加工工場廃材、ヤシ殼、モミ殼、アーモンド殼などを含む植物性の殻、または建築解体材、家具材などを含む木質系廃材を炭化して得られるものである。ただし、吸放湿性、吸臭性、マイナスイオンの放出量などの点から竹炭７を壁内空間８に投入するものが最も好ましい。
【００３７】
【発明の効果】
以上のように、請求項１の発明の炭の壁内施工方法は、種々の効能及び効果を有する炭を、既存の住宅等の壁の壁内空間に、容易かつ安価に投入することができる。
【００３８】
請求項２の発明の炭の壁内施工方法は、請求項１の発明の炭の壁内施工方法の効果に加えて、壁内空間及び部屋の空気を循環させることが可能となるため、炭の持つ種々の効能及び効果を、住宅等で十分に発揮させることができる。
【００３９】
請求項３の発明の炭の壁内施工方法は、請求項１または請求項２の発明の炭の壁内施工方法の効果に加えて、比較的空気が滞留しやすい壁内空間の底付近に炭が投入されるのではなく、比較的空気が流れやすい孔付近に炭が投入されることになるため、投入した炭を無駄にすることなく十分に活用できる。
【００４０】
請求項４の発明の炭の壁内施工方法は、請求項１乃至請求項３のいずれか一つの発明の炭の壁内施工方法の効果に加えて、壁内空間及び部屋の空気を必要に応じて強制的に循環させることが可能となり、炭の持つ種々の効能及び効果を上げることができる。
【００４１】
請求項５の発明の炭の壁内施工方法は、請求項１乃至請求項４のいずれか一つの発明の炭の壁内施工方法の効果に加えて、竹炭の持つ種々の効能及び効果を、住宅等で発揮させることができる。
【図面の簡単な説明】
【図１】本発明の第一実施形態である炭の壁内施工方法を適用する住宅の一部を示す断面図である。
【図２】炭の壁内施工方法を適用した住宅の一部を示す断面図である。
【図３】炭の壁内施工方法を適用した住宅の部屋の一部を示す説明図である。
【符号の説明】
１　住宅
２　部屋
３　壁
４　内壁（第一壁材）
５　外壁（第二壁材）
６ａ，６ｂ　桟
７　竹炭（炭）
８　壁内空間
９　第一孔（孔）
１０　第二孔（孔）
１１　換気扇
【図１】
2004076323.tif 000003
【図２】
2004076323.tif 000004
【図３】
2004076323.tif 000005